(57)【要約】【課題】引出し式収納ボックスに於いて、引出し内に埃や湿気が入り難くし，衣服の出し入れがし難い引出しの奥で季節外の衣服を長期間良好な状態で保管すると共に、衣服の出し入れのし易い引出しの手前に季節の衣服を収納し、引出しを前後逆さに外箱に入れて、衣服の入れ替えをしないで簡単に衣替えを行える様にする。【解決手段】一側面が開口となった外箱と、その外箱の開口部から出し入れされる引出しと、その引出しに取り付ける埃や湿気を防ぐ蓋から成り、引出しは内部を中間部に配した仕切り板で前後に二等分に仕切られ、蓋の一部（約半分）は開口となりそこから引出し内の衣服を出し入れ出来る様にした。【選択図】　図１
0003098842.tif 000002
【実用新案登録請求の範囲】
【請求項１】
一側面が開口となった外箱と、その外箱の開口部から出し入れされる引出しと、その引出しに取り付ける埃や湿気を防ぐ蓋から成り、引出しは内部を中間部に配した仕切り板で前後に二等分に仕切られ、蓋の一部（約半分）は開口となりそこから引出し内の衣服を出し入れ出来る様にした引出し式収納ボックス。
【考案の詳細な説明】
【０００１】
【考案の属する技術分野】
本考案は主に衣服等を収納する引出し式収納ボックスに関するものである。
【０００２】
【従来の技術】
従来の技術の引出し式収納ボックスでは一側面が開口となった外箱から蓋のない引出しを出し入れする引出し式収納ボックスが最も一般的である。引出しに埃の侵入を防ぐ為に、引出しに蓋を取り付ける考案もされた。又、ベット下や押入れ内で使用するのに適したタイプとして、引出しの奥行きの深いものも広く使用されている。
【０００３】
【考案が解決しようとする課題】
従来の技術の引出し式収納ボックスで、引出しに蓋の付いていないものは引出し内に埃や湿気が入りやすく，従って衣服の長期的保管には不向きなため、一般的に季節毎に密封式で積み重ね型の収納ケース等と衣服を入れ替える等して衣替えの手間が掛かる。引出し内に埃が入るのを防ぐ為に引出しに蓋を取り付ける考案もされたが、これは引出し内の衣服を出し入れする時常に蓋の開け閉めをしなければならない。又、奥行きの深いものは収納力には優れているが、引出しの奥に入れた衣服の出し入れがし難いと言う欠点がある。
【０００４】
【課題を解決するための手段】
この考案は以上の問題点を解決する為に、一側面が開口となった外箱の開口部から出し入れされる引出しの内部を中間部に配した仕切り板で前後に二等分に仕切り、一部（約半分）が開口と成った蓋を引出しに取り付けた。
【０００５】
これによりまず、引出しの内部を中間部で前後に二等分する仕切り板の奥に季節外の衣服を入れ、仕切り板の手前に季節の衣服を入れて、出し入れし難い引出しの奥の空間を有効に利用する。
【０００６】
更に引出し内に埃や湿気を入り難くする為に引出しに蓋を取り付けて、季節外の衣服を長期間より良好な状態で保管できるようにした。又、蓋の一部（約半分）を開口とし、その開口部が引出しの手前に来るように取り付けて、蓋の開け閉めをしないで、引出し内の手前に入れた季節の衣服を引出しから容易に出し入れ出来る様にした。
【０００７】
又、衣替えの際には、蓋を前後逆さに取り付け直し、引出しを前後逆さに外箱に入れれば、衣服の入れ替えをしないで衣替えが簡単に出来る。
【０００８】
蓋は、蓋の内側に溝のあるなし、蓋の外側に縁のあるなし等、その形状は特に限定されないが、引出しに埃や湿気が入り難くする為に、引出しの外周と引出しの内の仕切り板の上辺縁部を隙間なく被う様にする。密封性を高める為に、蓋が引出しの外周と引出しの内の仕切り板の上辺縁部に接触する部分にパッキン等を付加するのも有効である。
【０００９】
蓋を引出しに固定する方法は特に限定されないが、例えば、蓋の内側に溝を付けて引出しの外周と引出しの内の仕切り板の上辺縁部を嵌め込んで固定する方法や、引出しと蓋の夫々に係止具と係止部を配して固定する方法が考えられる。又、引出しと蓋の夫々に係止具と係止部を配して固定する方法では、引出しに係止具を配し、蓋に係止部を配するか、又その逆に引出しに係止部を配し、蓋に係止具を配するかは、何れでも良い。
【００１０】
係止具と係止部の設置位置は特に限定されず、引出しや蓋の前板、後板、または側板の何処でもよい。引出しと蓋をよりしっかりと固定する為に、引出し内の仕切り板と、蓋が引出し内の仕切り板に接触する部分にも係止具及び係止部を配する場合もある。係止具と係止部の形状は特に限定されないが、蓋が引出しにしっかり固定され、且つ蓋と引出しの着脱し易いものが望ましい。
【００１１】
外箱の開口部から引出しを出し入れする為に引出しに配される取手は、凹型、凸型等その形状は特に限定されない。設置位置も特に限定されず引出しの係止具または係止部の設置位置を考慮して適宜に配される。又構造によっては、引出しに配された係止具又は係止部を取手の代用とすることも考えられる。
【００１２】
【考案の実施の形態】
一側面が開口となった外箱と、その外箱の開口部から出し入れされる引出しと、その引出しに取り付ける埃や湿気を防ぐ蓋から成り、引出しは内部を中間部に配した仕切り板で前後に二等分に仕切られ、蓋の一部（約半分）は開口となりそこから引出し内の衣服を出し入れ出来る様にした引出し式収納ボックスを提供する。
【００１３】
【実施例】
この考案の一実施例を以下添付図面に基づいて詳述する。
【００１４】
図１は引出し式収納ボックスの全体の斜視図であり、一側面が開口となった外箱１の開口部２から埃や湿気を防ぐ蓋３が取り付けられた引出し４が引き出された状態を示す。
【００１５】
引出し４は底板５と前板６、後板７、側板８，９及び引出し４の内部を前後に二等分に仕切る為に中間部に配した仕切り板１０からなり、図２は引出し４を前板６から見た斜視図、図３は引出し４を後板７から見た斜視図である。
【００１６】
蓋３を引出し４に取り付ける為の係止具と係止部の形状及び設置位置は特に限定されないが、図２と図３では、引出し４の前板６、後板７及び仕切り板１０の裏と表に係止部１１，１２，１３，１４を配した例を示す。仕切り板１０の裏と表に係止部１３，１４を配することにより、蓋３を前後逆さに取り付けても仕切り板１０と蓋３を合致させ、よりしっかりと固定する事が出来る。
【００１７】
又、外箱１の開口部２から引出し４を出し入れする為に引出し４に配される取手の形状及び設置位置は特に限定されないが、図２と図３では、引出し４の前板６と後板７の下部に凹型の取手１５，１６を配した例を示す。
【００１８】
蓋３は天板１７と前板１８、後板１９、及び側板２０，２１から成り、蓋３の天板１７には開口部２２が設けられる。図４は蓋３を前板１８から見た斜視図であり、図５は蓋３を後板１９から見た斜視図である。蓋３を引出し４に取り付ける為の係止具と係止部の形状及び設置位置は特に限定されないが、図４と図５では、蓋３の前板１８と後板１９及び蓋３の開口部２２が仕切り板１０に合致する部分に係止具２３，２４、２５を配した例を示す。
【００１９】
図６は蓋３を内側から見た図である。蓋３は、蓋３の内側に溝のあるなし、蓋３の外側に縁のあるなし等その形状は特に限定されないが、図６では引出し４に埃や湿気が入り難くする為に、引出し４の外周と引出し４の内の仕切り板１０の上辺縁部を隙間なく被い、密封性を高める為に、蓋３が引出し４の外周及び引出し４内の仕切り板１０に接触する部分にパッキン等２６を付加して密封性を高めた例を示す。
【００２０】
【考案の効果】
上述の様にこの考案ではまず、一側面が開口となった外箱の開口部から出し入れされる引出し内部の中間部に内部を前後に二等分する仕切り板を配することにより、仕切り板の奥に季節外の衣服を入れ、仕切り板の前に季節の衣服を入れて、出し入れし難い引出しの奥の空間を有効に利用する。
【００２１】
更に引出し内に埃や湿気を入り難くする為に引出しに蓋を取り付けて、季節外の衣服を長期間より良好な状態で保管できるようにした。又、蓋の一部（約半分）を開口とし、その開口部が引出しの手前に来るように取り付けて、蓋の開け閉めをしないで、引出し内の手前に入れた季節の衣服を引出しから容易に出し入れ出来る様にした。
【００２２】
そして衣替えの際には、蓋を前後逆さに取り付け直し、引出しを前後逆さに外箱に入れれば、衣服の入れ替えをしないで衣替えが簡単に出来る。
【図面の簡単な説明】
【図１】全体の斜視図
【図２】引出しを前板から見た斜視図
【図３】引出しを後板から見た斜視図
【図４】蓋を前板から見た斜視図
【図５】蓋を後板から見た斜視図
【図６】蓋を内側から見た図
【符号の説明】
１．外箱
２．開口部
３．蓋
４．引出し
５．底板
６．前板
７．後板
８．側板
９．側板
１０．仕切り板
１１．係止部
１２．係止部
１３．係止部
１４．係止部
１５．取手
１６．取手
１７．天板
１８．前板
１９．後板
２０．側板
２１．側板
２２．開口部
２３．係止具
２４．係止具
２５．係止具
２６．パッキン等
【図１】
0003098842.tif 000003
【図２】
0003098842.tif 000004
【図３】
0003098842.tif 000005
【図４】
0003098842.tif 000006
【図５】
0003098842.tif 000007
【図６】
0003098842.tif 000008